(57)【要約】【課題】故障した光源を特定可能な光源装置および投射型表示装置を提供すること。【解決手段】直列に接続された複数の光源を備える光源部と、光源部の状態を検出する検出手段と、複数の光源と並列に接続され、少なくとも１つ以上の光源を短絡させる短絡手段と、複数の光源および短絡手段の駆動を制御する制御手段と、を有し、制御手段は、検出手段の検出結果に基づいて短絡手段の駆動を制御することで、複数の光源のうち故障した光源を特定する。【選択図】図２
2017152355.tif 000002
【特許請求の範囲】
【請求項１】
直列に接続された複数の光源を備える光源部と、
前記光源部の状態を検出する検出手段と、
前記複数の光源と並列に接続され、少なくとも１つ以上の光源を短絡させる短絡手段と、
前記複数の光源および前記短絡手段の駆動を制御する制御手段と、を有し、
前記制御手段は、前記検出手段の検出結果に基づいて前記短絡手段の駆動を制御することで、前記複数の光源のうち故障した光源を特定することを特徴とする光源装置。
【請求項２】
前記検出手段は、前記光源部に印加される電圧を検出し、
前記制御手段は、前記電圧が所定値より大きい場合、前記短絡手段の駆動を制御することで、前記複数の光源のうち故障した光源を特定することを特徴とする請求項１に記載に光源装置。
【請求項３】
前記検出手段は、前記光源部の輝度値を検出し、
前記制御手段は、前記輝度値が所定値より小さい場合、前記短絡手段の駆動を制御することで、前記複数の光源のうち故障した光源を特定することを特徴とする請求項１に記載に光源装置。
【請求項４】
前記故障した光源の情報を記憶する記憶手段を更に有し、
前記制御手段は、前記情報に基づいて前記短絡手段の駆動を制御することを特徴とする請求項１から３のいずれか１項に記載の光源装置。
【請求項５】
前記制御手段は、前記故障した光源と並列に接続されている短絡手段をオンさせることを特徴とする請求項１から４のいずれか１項に記載の光源装置。
【請求項６】
前記制御手段は、前記光源部を点灯させる際、前記情報から前記故障した光源を特定し、特定した前記故障した光源と並列に接続されている短絡手段をオンさせることを特徴とする請求項４に記載の光源装置。
【請求項７】
前記制御手段は、前記故障した光源の数が所定の数より大きい場合、前記光源部を点灯させないことを特徴とする請求項１から４のいずれか１項に記載の光源装置。
【請求項８】
前記光源部を複数備え、
前記制御手段は、複数の前記光源部の各々において故障した光源を特定し、前記故障した光源の数が所定の数より大きい光源部は点灯させないことを特徴とする請求項１から４のいずれか１項に記載の光源装置。
【請求項９】
前記光源部の温度を検出する温度検出手段を更に有し、
前記制御手段は、前記故障した光源の数に応じて、所定の閾値を設定し、
検出された前記温度を前記所定の閾値と比較することにより前記光源部の異常を検出することを特徴とする請求項１から８のいずれか１項に記載の光源装置。
【請求項１０】
前記光源は、固体光源であることを特徴とする請求項１から９のいずれか１項に記載の光源装置。
【請求項１１】
原画を表示する画像表示素子と、
前記原画を投射像として投射する投射光学系と、
請求項１から１０のいずれか１項に記載の光源装置を有することを特徴とする投射型表示装置。
【請求項１２】
前記制御手段は、前記故障した光源の数が所定の数より大きい場合、前記故障した光源と並列に接続されている短絡手段をオンし前記光源を点灯させ、前記光源部が故障したことを示すメッセージを前記投射像として表示させ、所定の時間経過後、前記光源を消灯させることを特徴とする請求項１１に記載の投射型表示装置。
【発明の詳細な説明】
【技術分野】
【０００１】
本発明は、光源装置および投射型表示装置に関する。
【背景技術】
【０００２】
従来、ＬＥＤやＬａｓｅｒ  Ｄｉｏｄｅ（以下、ＬＤという）などの固体光源を搭載した投射型表示装置が知られている。このような投射型表示装置では、一般的に、複数の光源を直列に接続している。しかしながら、複数の光源を直列に接続した構成では、１つの光源が開放故障すると、光源すべてに電流が流れなくなり、正常な光源も発光させることができなくなってしまう。特許文献１では、光源と並列にスイッチ（ＦＥＴ）が設けられ、光源が開放故障すると、ＦＥＴをオンさせるとともに、ＦＥＴがオンする状態を保持する技術が開示されている。
【先行技術文献】
【特許文献】
【０００３】
【特許文献１】特開２０１４−１７０６６５号公報
【発明の概要】
【発明が解決しようとする課題】
【０００４】
しかしながら、特許文献１に開示された従来技術では、光源が開放故障した場合、他の正常な光源は点灯させることが可能であるが、開放故障した光源を特定することができない。
【０００５】
このような課題に鑑みて、本発明は、故障した光源を特定可能な光源装置および投射型表示装置を提供することを目的とする。
【課題を解決するための手段】
【０００６】
本発明の一側面としての光源装置は、直列に接続された複数の光源を備える光源部と、前記光源部の状態を検出する検出手段と、前記複数の光源と並列に接続され、少なくとも１つ以上の光源を短絡させる短絡手段と、前記複数の光源および前記短絡手段の駆動を制御する制御手段と、を有し、前記制御手段は、前記検出手段の検出結果に基づいて前記短絡手段の駆動を制御することで、前記複数の光源のうち故障した光源を特定することを特徴とする。
【発明の効果】
【０００７】
本発明は、故障した光源を特定可能な光源装置および投射型表示装置を提供することができる。
【図面の簡単な説明】
【０００８】
【図１】実施例１の投射型表示装置のブロック図である。
【図２】実施例１の光源装置の説明図である。
【図３】実施例１の光源点灯処理を示すフローチャートである。
【図４】実施例１の光源部の動作説明図である。
【図５】実施例１の光源部の動作説明図である。
【図６】実施例２の光源点灯処理を示すフローチャートである。
【図７】実施例３の投射型表示装置のブロック図である。
【図８】実施例３の光源装置の説明図である。
【図９】実施例３の光源点灯処理を示すフローチャートである。
【図１０】実施例３の光源部の動作説明図である。
【図１１】実施例３の光源部の動作説明図である。
【図１２】実施例４の光源点灯処理を示すフローチャートである。
【図１３】実施例５の光源装置の説明図である。
【図１４】実施例５の光源点灯処理を示すフローチャートである。
【図１５】実施例５の光源点灯処理の一部を示すフローチャートである。
【図１６】実施例６の光源装置の説明図である。
【図１７】実施例６の光源点灯処理を示すフローチャートである。
【図１８】実施例７の光源装置の説明図である。
【図１９】実施例７の光源点灯処理を示すフローチャートである。
【発明を実施するための形態】
【０００９】
以下、本発明の実施例について、図面を参照しながら詳細に説明する。各図において、同一の部材については同一の参照番号を付し、重複する説明は省略する。
【実施例１】
【００１０】
図１は、本実施例の投射型表示装置１００Ａのブロック図である。図２は、光源装置の説明図である。ＰＣなどの外部機器から出力される映像信号は、映像信号入力部１に入力される。映像信号入力部１は、ＶＧＡやＶｉｄｅｏ信号などのアナログ信号をデジタル信号に変換するとともに、ＨＤＭＩ（登録商標）やＤＶＩなどのデジタル信号を所定のデジタル信号フォーマットに変換する。映像信号入力部１により変換されたデジタル映像信号は、映像信号処理部２に入力される。映像信号処理部２は、映像信号処理専用のＤＳＰなどで構成され、入力される映像信号の解像度を読み取り、内部での処理に必要な解像度に変換するスケーリング処理や、ボタン操作時のメニュー表示、台形補正（キーストン補正）処理などを行う。映像信号処理部２により所定フォーマットに処理されたデジタル信号は、液晶駆動部３に入力される。液晶駆動部３は、入力されたデジタル信号を光学ユニット９内の液晶パネル（画像表示素子）を駆動する液晶駆動信号に変換する。液晶パネルは、液晶駆動信号を受信し、映像（原画）を表示する。
【００１１】
電源部４は、外部から入力されるＡＣ電源をＤＣ電源に変換し、光源駆動部５および投射型表示装置１００Ａの各部に電源を供給するとともに、ＰＦＣ回路による力率改善を行う。光源駆動部５は、ＤＣ−ＤＣコンバータ等の電源回路で構成され、制御部５０Ａから出力される制御信号に基づいて、光源部６の点灯や消灯、あるいは光量制御を行う。
【００１２】
光源部６は、図２に示されるように、複数の光源２１〜２４を直列に接続した回路と、光源と並列に接続された短絡回路３０，３１で構成される。本実施例では、光源２個に対して１つの短絡回路が設けられ、制御部５０Ａが各短絡回路をＯＮ／ＯＦＦ制御する。なお、本実施例では、光源をＬＤとしているが、本発明はこれに限定されない。また、短絡回路３０，３１は、ＯＮ／ＯＦＦを制御可能なデバイスであればよく、例えば、ＦＥＴやトランジスタで構成される。電圧検出部１４は、光源駆動部５が光源部６を駆動する間、光源部６に印加されている電圧を検出し、検出結果を制御部５０Ａに出力する。
【００１３】
光源部６から出射された光は、励起光として蛍光体７に照射される。蛍光体７は、蛍光材料を塗布された円盤状のホイールで、蛍光光を射出する。モータ８は、１箇所に負荷が集中しないように蛍光体７を回転させる。モータ駆動部１３は、モータドライバＩＣなどで構成され、モータ８の制御（回転の開始や停止、あるいは回転速度調整）を行う。蛍光体７から出射された光は、光学ユニット９に照射される。光学ユニット９は、照明光学素子、色分離部、液晶パネル、および色合成部などから構成される。光学ユニット９内において、フライアイレンズなどの照明光学素子によって均一化された光は、色分離部によってＲＧＢの三色に分離される。分離された光は、透過型あるいは反射型などの液晶パネルに照射される。液晶パネルは、液晶駆動部３の液晶駆動信号に応じて透過率（反射率）を変える。ＲＧＢそれぞれの透過光（反射光）を色合成部が合成することにより、映像が生成される。光学ユニット９が生成した映像は、投射レンズ（投射光学系）１０によって投射像としてスクリーンに拡大投射される。
【００１４】
制御部５０Ａは、マイクロコンピュータなどのＣＰＵで構成され、投射型表示装置１００Ａの全般的な制御を行う。例えば、制御部５０Ａは、光源駆動部５に制御信号を出力することで光源部６の点灯・消灯制御、各回路への電源供給制御、あるいは冷却用のＦＡＮ駆動などを行う。また、制御部５０Ａは、投射型表示装置１００Ａ内部の温度異常時に光源部６を消灯させ、警告用ＬＥＤを点灯することで使用者へ異常を知らせる処理なども行う。操作パネル１１は、電源ＯＮ／ＯＦＦなどの操作を行うためのボタンや、投射型表示装置１００Ａの状態を使用者に知らせるためのＬＥＤなどで構成される。制御部５０Ａは、操作パネル１１のボタンが押されたことを検出すると、押されたボタンに対応する制御を行う。なお、投射型表示装置１００Ａ内に受光センサを設けて、リモコンで投射型表示装置１００Ａの操作を行うようにしてもよい。
【００１５】
制御部５０Ａは、電圧検出部１４から取得した電圧に基づいて、光源が故障しているかどうかを判定する。記憶部１２は、制御部５０Ａに接続され、投射型表示装置１００Ａの設定データ、異常発生時の状態記録（エラーコードの記録）、および光源の故障情報を記憶する。
【００１６】
次に、図３を参照して、本実施例の光源点灯処理について説明する。図３は、本実施例の光源点灯処理を示すフローチャートである。
【００１７】
操作パネル１１の起動ボタンにて処理が開始されると、ステップＳ１０１では、制御部５０Ａは光源駆動部５に光源部６の点灯指示を行い、光源駆動部５は光源部６の駆動を行う。一般的には、定電力制御または定電流制御でＬＤを発光させる。定電力制御は供給する電力を一定に保つ制御であり、定電流制御は電流を一定に保つ制御である。また、制御部５０Ａは、電圧検出部が検出した光源部６に印加されている電圧を取得する。
【００１８】
ステップＳ１０２では、制御部５０Ａは、取得した電圧に基づいて、光源が故障しているかどうかを検出する。光源の故障を検出した場合、ステップＳ１０３に進み、光源の故障を検出しない場合、フローを終了する。具体的には、制御部５０Ａは、印加電圧が所定値より小さいことを検出した場合、光源が故障していないと判定し、印加電圧が所定値より大きいことを検出した場合、光源が故障していると判定する。なお、本実施例では、制御部５０Ａが光源が故障しているかどうかを判定しているが、本発明はこれに限定されない。電圧検出部１４が、光源部６に印加されている電圧を検出し、検出した電圧に基づいて故障しているかどうかを判定してもよい。電圧検出部１４が判定した結果は、制御部５０Ａに出力される。
【００１９】
ステップＳ１０３では、制御部５０Ａは、短絡回路３０をオンする。ステップＳ１０４では、光源駆動部５は、光源部６の駆動を行う。ステップＳ１０５では、制御部５０Ａは、光源が故障しているかどうかを検出する。光源の故障を検出した場合、ステップＳ１０６に進み、光源の故障を検出しない場合、フローを終了する。
【００２０】
図４は、光源２２がオープン故障した場合の図である。光源２２がオープン故障しているため、光源駆動部５は光源部６を定電流駆動させることができない。制御部５０Ａは、電圧検出部１４から取得する光源部６への印加電圧が所定値より大きいため、光源がオープン故障していると判定し、短絡回路３０をオンする。短絡回路３０がオンすると、光源２３および光源２４には電流が流れ、光源２３および光源２４は正常に発光する。このとき、制御部５０Ａは電圧検出部１４から取得する光源部６への印加電圧が所定値より小さいため光源が故障していないと判定し、光源点灯処理は終了する。
【００２１】
ステップＳ１０６では、制御部５０Ａは、短絡回路３０をオフし、短絡回路３１をオンする。ステップＳ１０７では、光源駆動部５は、光源部６の駆動を行う。
【００２２】
図５は、光源２４がオープン故障した場合の図である。光源２４がオープン故障しているため、光源駆動部５は光源部６を定電流駆動させることができない。制御部５０Ａは、電圧検出部１４から取得する光源部６への印加電圧が所定値より大きいため、光源がオープン故障していると判定し、短絡回路３０をオンする。しかしながら、光源２４がオープン故障しているため、光源駆動部５は光源部６を定電流駆動させることができない。このとき、制御部５０Ａは、電圧検出部１４から取得する光源部６への印加電圧が所定値より大きいため、光源がオープン故障していると判定し、短絡回路３０をオフし、短絡回路３１をオンする。短絡回路３０がオフし、短絡回路３１がオンすると、光源２１および光源２２には電流が流れ、光源２１および光源２２は正常に発光する。このとき、制御部５０Ａは電圧検出部１４から取得する光源部６への印加電圧が所定値より小さいため光源が故障していないと判定し、光源点灯処理は終了する。
【００２３】
以上説明したように、本実施例の構成および制御によって、故障した光源を特定することが可能である。故障した光源を特定することにより、投射型表示装置１００Ａは、故障した光源を考慮した点灯制御（例えば、明るさ一定モードにおいて、故障していない他の光源を通常の明るさよりも明るく点灯させる制御）を行うことができる。また、故障した光源の数も把握できるため、投射型表示装置１００Ａは、所定数以上の光源が故障した場合、制御部５０Ａに投射型表示装置１００Ａとしての異常と判断させ、使用者へ異常を知らせるために警告用ＬＥＤを点灯させる制御を行うことができる。また、投射型表示装置１００Ａは、メンテナンスの際にどの光源を交換すればよいかを交換者に通知することができる。
【実施例２】
【００２４】
実施例１では、光源部６の故障箇所を特定して、対応する短絡回路をオン・オフする制御について説明した。ＬＤなどの固体光源は、通常、一度故障すると復帰することはほぼないが、光源に故障が発生すると、点灯時に毎回故障箇所を特定する制御を実施する必要がある。本実施例では、２つの短絡回路を設けているが、光源の構成によっては短絡回路を多く設ける必要もあり、その場合故障箇所によっては何度も光源駆動および故障箇所の検出を繰り返すことになる。
【００２５】
本実施例では、図６を参照して、光源部６の故障箇所の情報を記憶部１２に記憶し、読み出す制御を実施例１の光源点灯処理に追加した光源点灯処理について説明する。図６は、本実施例の光源点灯処理を示すフローチャートである。ステップＳ１０１〜Ｓ１０７は図３で説明したステップと同様であるため、説明は省略する。なお、本実施例の投射型表示装置および光源装置の構成は、実施例１と同様である。
【００２６】
ステップＳ２０１では、制御部５０Ａは、記憶部１２が光源の故障情報を記憶しているかどうか確認する。記憶部１２が光源の故障情報を記憶している場合、ステップＳ２０２に進む。記憶部１２が光源の故障情報を記憶していない場合、ステップＳ１０１〜Ｓ１０７で故障した光源の有無を確認する。制御部５０Ａが光源が故障していると判定した場合、故障した光源を短絡させて光源部６を発光させる。また、ステップＳ２０２では、制御部５０Ａは光源の故障情報を記憶部１２に記憶させる。記憶部１２は、故障した光源の情報を記憶してもよいし、短絡させる短絡回路の情報を記憶してもよい。
【００２７】
ステップＳ２０３では、制御部５０Ａは、故障光源が光源２１または光源２２であるかどうかを判定する。故障光源が光源２１または光源２２ある場合、ステップＳ２０４に進み、光源２１または光源２２でない場合、すなわち、故障光源が光源２３または光源２４である場合、ステップＳ２０５に進む。ステップＳ２０５では、短絡回路３０をオンさせる。ステップＳ２０６では、制御部５０Ａは、短絡回路３１をオンさせる。ステップＳ２０６では、光源駆動部５は、光源部６の駆動を行う。
【００２８】
以上説明したように、本実施例の構成および制御によって、故障した光源を特定することが可能であるとともに、光源故障が発生した後の光源点灯制御を簡略化することが可能となる。
【実施例３】
【００２９】
本実施例の投射型表示装置１００Ｂは、図７および図８に示されるように、実施例１，２の投射型表示装置１００Ａおよび光源装置の電圧検出部１４の代わりに光センサ１４０を備える。光センサ１４０は、蛍光体７から出射された光を検出可能に配置され、光源部６の輝度値を検出する。光センサ１４０は、検出した輝度値を制御部５０Ｂに出力する。なお、光センサ１４０は、本実施例では、蛍光体７から出射された光を検出可能に配置されるが、光源部６の輝度値が検出可能であればどこに配置されてもよい。例えば、光センサ１４０は、光源部６から出射される光を検出可能な位置、または光学ユニット９内に配置されてもよい。また、光センサ１４０は、スクリーンなど投射面の輝度を検出可能な位置に配置されてもよい。
【００３０】
本実施例では、制御部５０Ｂは、光センサ１４０から取得した輝度値に基づいて、光源部６が故障しているかどうかを判定する。例えば、制御部５０Ｂは、光源駆動部５に対して光源部６への電力供給を指示した後、光センサ１４０の輝度値が低いままであった場合には、光源部６は故障によって点灯していないと判定する。
【００３１】
次に、図９を参照して、本実施例の光源点灯処理について説明する。図９は、本実施例の光源点灯処理を示すフローチャートである。
【００３２】
操作パネル１１の起動ボタンにて処理が開始されると、ステップＳ３０１では、制御部５０Ｂは光源駆動部５に光源部６の点灯指示を行い、光源駆動部５は光源部６の駆動を行う。また、制御部５０Ｂは、光センサ１４０が検出した輝度値を取得する。
【００３３】
ステップＳ３０２では、制御部５０Ｂは、取得した輝度値に基づいて、光源が故障しているかどうかを判定する。光源が故障していると判定する場合、ステップＳ３０３に進み、光源が故障していないと判定する場合、フローを終了する。直列に接続したＬＤのうち１つのＬＤがオープン故障すると、電流が流れる経路がないため、すべてのＬＤが点灯しない。よって、ＬＤがオープン故障すると光センサ１４０は基本的に光量ゼロを検出し、所定量より小さくなる。また、制御部５０Ｂは、輝度値が所定値より大きい場合、ＬＤが正常であると判定する。
【００３４】
ステップＳ３０３では、制御部５０Ｂは、短絡回路３０をオンする。ステップＳ３０４では、光源駆動部５は光源部６の駆動を行うとともに、制御部５０Ｂは光センサ１４０が検出した輝度値を取得する。ステップＳ３０５では、制御部５０Ｂは、光源が故障しているかどうかを検出する。光源の故障を検出した場合、ステップＳ３０６に進み、光源の故障を検出しない場合、フローを終了する。
【００３５】
図１０は、光源２２がオープン故障した場合の図である。光源２２がオープン故障しているため、光源駆動部５は光源部６を定電流駆動させることができない。光センサ１４０は光量が所定値より小さいことを検出し、制御部５０Ｂは光センサ１４０から取得した検出結果に基づいて光源がオープン故障していると判定する。制御部５０Ｂは、短絡回路３０をオンする。光源２３および光源２４には電流が流れるため、光源２３および光源２４は正常に発光する。このとき、光センサ１４０は光量が所定値より大きいことを検出し、制御部５０Ｂは光源は故障していないと判定するため、光源点灯処理は終了する。
【００３６】
ステップＳ３０６では、制御部５０Ｂは、短絡回路３０をオフし、短絡回路３１をオンする。ステップＳ３０７では、光源駆動部５は、光源部６の駆動を行う。
【００３７】
図１１は、光源２４がオープン故障した場合の図である。光源２４がオープン故障しているため、光源駆動部５は光源部６を定電流駆動させることができない。光センサ１４０は、光量が所定値より小さいことを検出する。制御部５０Ｂは光センサ１４０から取得した検出結果に基づいて光源がオープン故障していると判定し、短絡回路３０をオンする。しかしながら、光源２４がオープン故障しているため、光源駆動部５は光源部６を定電流駆動させることができない。光センサ１４０は、光量が所定値より小さいことを検出する。制御部５０Ｂは、光源がオープン故障していると判定し、短絡回路３０をオフし、短絡回路３１をオンする。光源２１および光源２２には電流が流れ、光源２１および光源２２は正常に発光する。このとき、光センサ１４０は光量が所定値より小さいことを検出し、制御部５０Ｂ光源は故障していないと判定するため、光源点灯処理は終了する。
【００３８】
以上説明したように、本実施例の構成および制御によって、故障した光源を特定することが可能である。故障した光源を特定することにより、投射型表示装置１００Ｂは、故障した光源を考慮した点灯制御（例えば、明るさ一定モードにおいて、故障していない他の光源を通常の明るさよりも明るく点灯させる制御）を行うことができる。また、故障した光源の数も把握できるため、投射型表示装置１００Ｂは、所定数以上の光源が故障した場合、制御部５０Ｂに投射型表示装置１００Ｂとしての異常と判断させ、使用者へ異常を知らせるために警告用ＬＥＤを点灯させる制御を行うことができる。また、投射型表示装置１００Ｂは、メンテナンスの際にどの光源を交換すればよいかを交換者に通知することができる。
【実施例４】
【００３９】
実施例３では、光源部６の故障箇所を特定して、対応する短絡回路をオン・オフする制御について説明した。ＬＤなどの固体光源は、通常、一度故障すると復帰することはほぼないが、光源に故障が発生すると、点灯時に毎回故障箇所を特定する制御を実施する必要がある。本実施例では、２つの短絡回路を設けているが、光源の構成によっては短絡回路を多く設ける必要もあり、その場合故障箇所によっては何度も光源駆動および故障箇所の検出を繰り返すことになる。
【００４０】
本実施例では、図１２を参照して、光源部６の故障箇所の情報を記憶部１２に記憶し、読み出す制御を実施例１の光源点灯処理に追加した光源点灯処理について説明する。図１２は、本実施例の光源点灯処理を示すフローチャートである。ステップＳ３０１〜Ｓ３０７は図９で説明したステップと同様であるため、説明は省略する。なお、本実施例の投射型表示装置および光源装置の構成は、実施例３と同様である。
【００４１】
ステップＳ４０１では、制御部５０Ｂは、記憶部１２が光源の故障情報を記憶しているかどうか確認する。記憶部１２が光源の故障情報を記憶している場合、ステップＳ４０２に進む。記憶部１２が光源の故障情報を記憶していない場合、ステップＳ３０１〜Ｓ３０７で故障した光源の有無を確認する。光センサ１４０の検出結果に基づいて光源が故障していると判定された場合、制御部５０Ｂは、故障した光源を特定し、故障した光源を短絡させて光源部６を発光させる。また、ステップＳ４０２では、制御部５０Ｂは光源の故障情報を記憶部１２に記憶させる。記憶部１２は、故障した光源の情報を記憶してもよいし、短絡させる短絡回路の情報を記憶してもよい。
【００４２】
ステップＳ４０３では、制御部５０Ｂは、故障光源が光源２１または光源２２であるかどうかを判定する。故障光源が光源２１または光源２２ある場合、ステップＳ４０４に進み、光源２１または光源２２でない場合、すなわち、故障光源が光源２３または光源２４である場合、ステップＳ４０６に進む。ステップＳ４０４では、短絡回路３０をオンさせる。ステップＳ４０５では、制御部５０Ｂは、短絡回路３１をオンさせる。ステップＳ４０６では、光源駆動部５は、光源部６の駆動を行う。
【００４３】
以上説明したように、本実施例の構成および制御によって、故障した光源を特定することが可能であるとともに、光源故障が発生した後の光源点灯制御を簡略化することが可能となる。
【実施例５】
【００４４】
本発明の実施例５について、図１、図１３〜図１５を参照して説明する。なお、実施例１と重複する構成に関しては実施例１と同じ符号を付け、適宜説明を省略する。
【００４５】
図１３に本実施例における光源部５６を示す。実施例１の光源部６との差異は、光源２５〜２６、短絡回路３２が付加された点である。
【００４６】
次に、図１４、図１５を参照して光源点灯処理について説明する。図１４は、本実施例の光源点灯処理を示すフローチャートである。
【００４７】
ステップＳ５０３では、制御部５０Ａは、短絡回路３０〜３２のオン、オフを順次切り替えて、故障している光源があるか否かを確認する。ステップＳ５０３の詳細を図１５に示す。
【００４８】
ステップＳ５０７では、制御部５０Ａは、短絡回路３０をオン、他の短絡回路をオフする。ステップＳ５０８では、制御部５０Ａは、実施例１のステップＳ１０１と同様に、光源駆動部５に光源部５６の点灯指示を行い、光源駆動部５は光源部５６の駆動を行う。ステップＳ５０９では、制御部５０Ａは、光源が故障しているかどうかを検出する。具体的には、実施例１のステップＳ１０２と同様に検出する。検出した結果は記憶部１２に記憶させる。
【００４９】
ステップＳ５１０では、制御部５０Ａは、短絡回路３１をオン、他の短絡回路をオフする。ステップＳ５１１では、制御部５０Ａは、実施例１のステップＳ１０１と同様に、光源駆動部５に光源部５６の点灯指示を行い、光源駆動部５は光源部５６の駆動を行う。ステップＳ５１２では、制御部５０Ａは、光源が故障しているかどうかを検出する。具体的には、実施例１のステップＳ１０２と同様に検出する。検出した結果は記憶部１２に記憶させる。
【００５０】
ステップＳ５１３では、制御部５０Ａは、短絡回路３２をオン、他の短絡回路をオフする。ステップＳ５１４では、制御部５０Ａは、実施例１のステップＳ１０１と同様に、光源駆動部５に光源部５６の点灯指示を行い、光源駆動部５は光源部５６の駆動を行う。ステップＳ５１５では、制御部５０Ａは、光源が故障しているかどうかを検出する。具体的には、実施例１のステップＳ１０２と同様に検出する。検出した結果は記憶部１２に記憶させる。
【００５１】
ステップＳ５０４では、制御部５０Ａは、記憶部１２に記憶されている故障している光源の数を積算する。積算した結果と所定の閾値を比較し、所定の閾値以上の場合、ステップＳ５０５に進み、所定の閾値未満の場合、ステップＳ５１６に進む。
【００５２】
ステップＳ５０５では、制御部５０Ａは、光源部５６を消灯させる。ステップＳ５０６では、制御部５０Ａは、故障個所が所定の閾値以上のため、光源を消灯し、投射型表示装置１００Ａに備えられている不図示のユーザー通知用の警告用ＬＥＤを点灯、或いは点滅させ、光源に異常があることを通知する。
【００５３】
本実施例では、所定の閾値は一例として２としている。通常固体光源は、その特性上、故障の頻度は低いが、複数の箇所が故障した場合、光源全体に何らかの異常がある可能性もあるため、消灯させ、ユーザーに通知する。勿論、所定の閾値は、光源の構成により変更することができる。例えば、光源部が備える光源の数の半数としてもよい。
【００５４】
ステップＳ５１６では、制御部５０Ａは、故障個所がある場合、故障個所に対応する短絡回路をオンし、故障個所がない場合、短絡回路はオフとし、光源駆動部５は、光源部５６の駆動を行う。
【００５５】
以上説明したように、本実施例の構成および制御によって、故障した光源を特定することが可能である。故障した光源を特定することにより、投射型表示装置１００Ａは、故障した光源を考慮した点灯制御（例えば、明るさ一定モードにおいて、故障していない他の光源を通常の明るさよりも明るく点灯させる制御）を行うことができる。また、故障した光源の数も把握できるため、投射型表示装置１００Ａは、所定数以上の光源が故障した場合、制御部５０Ａに投射型表示装置１００Ａとしての異常と判断させ、使用者に異常を知らせるために警告用ＬＥＤを点灯させる制御を行うことができる。また、投射型表示装置１００Ａは、メンテナンスの際にどの光源を交換すればよいかを交換者に通知することができる。
【実施例６】
【００５６】
本発明の実施例６について、図１、図１６、図１７を参照して説明する。なお、実施例５と重複する構成に関しては実施例５と同じ符号を付け、適宜説明を省略する。
【００５７】
図１６に本実施例における光源部５６、光源部５８を示す。実施例５との差異は、光源部５６と同様の構成の光源部５８、光源部５８を駆動する光源駆動部５７、および電圧検出部５９が付加され、光源部を複数備えている点である。光源部５８は、複数の光源８１〜８６を直列に接続した回路と、光源と並列に接続された短絡回路７０〜７２で構成される。
【００５８】
次に、図１７を参照して光源点灯処理について説明する。図１７は、本実施例の光源点灯処理を示すフローチャートである。
【００５９】
ステップＳ６０１では、制御部５０Ａは、実施例１のステップＳ１０１と同様に、光源駆動部５に光源部５６の点灯指示を行い、光源駆動部５は光源部５６の駆動を行う。また、同様に、光源駆動部５７に光源部５８の点灯指示を行い、光源駆動部５７は光源部５８の駆動を行う。
【００６０】
ステップＳ１０２では、制御部５０Ａは、それぞれの光源部の故障を検出する。
【００６１】
ステップＳ６０２では、制御部５０Ａは、光源部５６が故障しているか検出する。光源部５６が故障している場合、ステップＳ５０３に進み、光源部５６が故障していない場合、ステップＳ６０３に進む。
【００６２】
ステップＳ６０３では、制御部５０Ａは、光源部５８が故障しているか検出する。光源部５８が故障している場合、ステップＳ６０４に進み、光源部５８が故障していない場合、ステップＳ６０５に進む。
【００６３】
ステップＳ６０４では、制御部５０Ａは、光源部５８の短絡回路７０〜７２のオン、オフを順次切り替えて、故障している光源があるか否かを確認する。具体的には、実施例５の図１５において、短絡回路３０〜３２を、短絡回路７０〜７２に置換し処理を行う。
【００６４】
ステップＳ６０５では、制御部５０Ａは、それぞれの光源部において、故障個所が所定の閾値以上の光源があるかどうかを判定する。故障個所が所定の閾値以上の光源部がない場合、ステップＳ５１６に進み、故障個所が所定の閾値以上の光源部がある場合、ステップＳ６０６に進む。
【００６５】
ステップＳ６０６では、制御部５０Ａは、故障個所が所定の閾値以上の光源部の光源駆動部に光源部の消灯指示を行う。
【００６６】
ステップＳ６０７では、制御部５０Ａは、全ての光源部が消灯したかどうかを確認する。全ての光源部が消灯している場合、ステップＳ６０８に進み、全ての光源が消灯していない場合、ステップＳ５１６に進む。
【００６７】
ステップＳ６０８では、制御部５０Ａは、それぞれの光源部の故障個所に対応する短絡回路をオンする。ステップＳ６０９では、制御部５０Ａは、それぞれの光源駆動部にそれぞれの光源部の点灯指示を行い、それぞれの光源駆動部はそれぞれの光源部の駆動を行う。
【００６８】
ステップＳ６１０では、制御部５０Ａは、光源部が故障している旨のメッセージを映像信号処理部２で生成し、スクリーン等に表示する。メッセージを表示し、所定の時間経過後、ステップＳ５０５に進む。
【００６９】
以上説明したように、光源部が複数ある場合、それぞれで故障を検出し、所定の閾値以上の光源が故障している場合、その光源を消灯し、所定の閾値未満の光源が故障している光源を点灯させ、使用を継続することができる。また、全ての光源部で所定の閾値以上の光源が故障している場合、警告用ＬＥＤさせることに加え、一旦、点灯させ、光源部が故障している旨のメッセージを表示させることで、メンテナンスの際にどの光源を交換すればよいかをユーザーに通知することができる。
【実施例７】
【００７０】
本発明の実施例７について、図１、図１８、図１９を参照して説明する。なお、実施例６と重複する構成に関しては実施例６と同じ符号を付け、適宜説明を省略する。
【００７１】
図１８に本実施例における光源部５６、光源部５８を示す。実施例６との差異は、温度センサ９０（温度検出手段）、温度センサ９１（温度検出手段）が付加された点である。温度センサは、光源部の温度を直接または間接的に検出するセンサである。
【００７２】
光源部が点灯している状態において、制御部５０Ａは、所定の周期で、温度センサにより光源部の温度を検出する。制御部５０Ａは、温度センサにより検出された温度が所定の閾値以上となった場合、何らかの異常により光源部が高温になっているため、光源部を消灯させる。
【００７３】
本実施例では光源部内の光源の故障箇所が１箇所の場合、該当箇所に対応した短絡回路をオンした状態で点灯を続けるため、点灯している状態の発熱も減る。したがって、正確に温度判定を行うためには故障箇所に応じて異常と判定する閾値を変更する必要がある。また、光源部内の光源の故障箇所が２箇所以上の場合、その光源は点灯させない。したがって、その光源部の温度取得および異常の判定をする必要はない。
【００７４】
次に、図１９を参照して光源点灯処理について説明する。図１９は、本実施例の光源点灯処理を示すフローチャートである。実施例６の図１７のフローチャートとの差異は、ステップＳ７０１、ステップＳ７０２が付加された点である。
【００７５】
ステップＳ７０１では、故障個所に基づいて、温度センサの閾値を変更する。故障個所がない場合、閾値として、予め記憶部１２に記憶されている閾値を用いる。故障個所がある場合、故障個所に基づいて、閾値を変更する。閾値の変更は、例えば、予め記憶部１２に故障した光源の数に応じた閾値を複数記憶しておき、複数の閾値の中から故障した光源の数に基づいて選択してもよい。また、記憶部１２に記憶されている閾値から、故障した光源の数に応じて、演算で求めてもよい。
【００７６】
ステップＳ７０２では、消灯する光源部があったため、その消灯する光源部の温度取得および異常の判定を停止する。
【００７７】
以上説明したように、光源部の異常を検出するための温度センサがある場合、故障した光源に基づいて、温度センサで以上を検出するための閾値を変更することで、正確に光源部の温度の異常を検出することができる。
【００７８】
以上、本発明の好ましい実施形態について説明したが、本発明はこれらの実施形態に限定されず、その要旨の範囲内で種々の変形及び変更が可能である。例えば、画像表示素子として、Ｄｉｇｉｔａｌ  Ｍｉｒｒｏｒ  Ｄｅｖｉｃｅなどを用いてもよい。
【符号の説明】
【００７９】
６                  光源部
１４                故障検出部（検出手段）
２１−２４          光源
３０，３１          短絡回路（短絡手段）
５０Ａ，５０Ｂ      制御部（制御手段）
１４０              光センサ（検出手段）
【図１】
2017152355.tif 000003
【図２】
2017152355.tif 000004
【図３】
2017152355.tif 000005
【図４】
2017152355.tif 000006
【図５】
2017152355.tif 000007
【図６】
2017152355.tif 000008
【図７】
2017152355.tif 000009
【図８】
2017152355.tif 000010
【図９】
2017152355.tif 000011
【図１０】
2017152355.tif 000012
【図１１】
2017152355.tif 000013
【図１２】
2017152355.tif 000014
【図１３】
2017152355.tif 000015
【図１４】
2017152355.tif 000016
【図１５】
2017152355.tif 000017
【図１６】
2017152355.tif 000018
【図１７】
2017152355.tif 000019
【図１８】
2017152355.tif 000020
【図１９】
2017152355.tif 000021